(57)【要約】【課題】引戸に引戸クローザを見栄え良く取り付ける。【解決手段】左右縦框１１，１２の間にパネル板１３が配置される引戸１０において、縦框上端の嵌合溝１４，１５に跨ってフレーム２０が嵌合固定され、フレームに引戸クローザ３０が嵌合固定される。フレームは、一対の側面板２１ａ，２１ｂ間に底板２２が架設された断面略Ｈ形状に形成され、上側凹部２３には引戸クローザの少なくとも一部が嵌合された状態で固定され、下側凹部２４にはパネル板の上端が底板との間に隙間３４を設けた状態で挿入される。引戸クローザはフレーム底板にビス２９ａ，２９ｂで固定され、該ビスは底板を貫通してその下端が前記隙間内に納められる。フレーム底板の幅方向中央にＶ溝２６が延長形成され、このＶ溝の所定位置に、フレームを左右縦框に固定するためのビス孔２７ａ，２７ｂと、フレームに引戸クローザを固定するためのビス孔２８ａ〜２８ｄが形成される。【選択図】図５
2014009524.tif 000002
【特許請求の範囲】
【請求項１】
左右縦框と、これら縦框の間に配置されるパネル板と、左右縦框の各上端に形成される嵌合溝に跨って嵌合固定されるフレームと、閉じる際の走行速度を減速させる引戸クローザとを有する引戸であって、前記フレームは一対の側面板とこれら側面板間に架設される底板とを有して断面略Ｈ形状に形成され、底板の上方において一対の側面板間に形成される上側凹部には前記引戸クローザの少なくとも一部が嵌合された状態で固定され、底板の下方において一対の側面板間に形成される下側凹部には前記パネル板の上端が底板との間に隙間を設けた状態で挿入されることを特徴とする引戸。
【請求項２】
前記引戸クローザは前記フレームの底板にビスで固定され、該ビスは底板を貫通してその下端が前記隙間内に納められることを特徴とする、請求項１記載の引戸。
【請求項３】
前記フレームに、フレームを左右縦框に固定するためのビス孔と、フレームに前記引戸クローザを固定するためのビス孔が形成されることを特徴とする、請求項１または２記載の引戸。
【請求項４】
前記フレームの一対の側面板の下端が内方に向けて折曲され、該折曲部の間を通って前記パネル板の上端が下側凹部に挿入されることを特徴とする、請求項１ないし３のいずれか記載の引戸。
【発明の詳細な説明】
【技術分野】
【０００１】
本発明は、引戸を閉じる際に減速させる引戸クローザを有する引戸に関する。
【背景技術】
【０００２】
引戸は、強い力で閉じると開口枠（縦枠）に衝突して衝撃音を発生させると共に、跳ね返りによる隙間が生じて完全に閉じることができない。この問題を解消させるために、引戸クローザ（減速装置）が用いられる。引戸クローザを設けることにより、強い力で引戸を閉じようとしたときであっても、開口枠に当たる直前で走行速度が減速され、引戸をゆっくりと隙間無く閉じることができる。このような引戸クローザは特許文献１などに公知である。このような引戸クローザは、引戸の上端木口に形成した溝に嵌合させて取り付けられるので、多くの場合、引戸の表面に露出することなく見栄え良く取り付けることができる。
【先行技術文献】
【特許文献】
【０００３】
【特許文献１】特開２０１１−２４７０５３号公報
【特許文献２】特開２００７−２７８００７号公報
【特許文献３】特開２０１０−０７７６８９号公報
【発明の概要】
【発明が解決しようとする課題】
【０００４】
しかしながら、引戸表面のデザインや形状などによっては、引戸クローザを取り付けたときに引戸表面に露出し、見栄えが悪くなる場合がある。たとえば、特許文献２，３に記載されるように、左右縦框の間にガラスや合成樹脂などの透過性材料からなるパネル板が配置固定されてなる引戸の場合において、パネル板の配置領域まで引戸クローザが延長して取り付けられていると、引戸クローザがパネル板を通して見えてしまい、見栄えが悪くなる。
【０００５】
したがって、本発明が解決しようとする課題は、左右縦框の間にガラスや合成樹脂などの透過性材料からなるパネル板が配置固定されてなる引戸において、パネル板の配置領域まで引戸クローザが延長して取り付けられるような場合であっても、見栄えが悪くなることを防止できる構成を提供することである。
【課題を解決するための手段】
【０００６】
この課題を解決するため、請求項１に係る本発明は、左右縦框と、これら縦框の間に配置されるパネル板と、左右縦框の各上端に形成される嵌合溝に跨って嵌合固定されるフレームと、戸先側となる縦框を閉じる際の走行速度を減速させる引戸クローザとを有する引戸であって、前記フレームは一対の側面板とこれら側面板間に架設される底板とを有して断面略Ｈ形状に形成され、底板の上方において一対の側面板間に形成される上側凹部には前記引戸クローザの少なくとも一部が嵌合された状態で固定され、底板の下方において一対の側面板間に形成される下側凹部には前記パネル板の上端が底板との間に隙間を設けた状態で挿入されることを特徴とする。
【０００７】
請求項２に係る本発明は、請求項１記載の引戸において、前記引戸クローザは前記フレームの底板にビスで固定され、該ビスは底板を貫通してその下端が前記隙間内に納められることを特徴とする。
【０００８】
請求項３に係る本発明は、請求項１または２記載の引戸において、前記フレームに、フレームを左右縦框に固定するためのビス孔と、フレームに前記引戸クローザを固定するためのビス孔が形成されることを特徴とする。
【０００９】
請求項４に係る本発明は、請求項１ないし３のいずれか記載の引戸において、前記フレームの一対の側面板の下端が内方に向けて折曲され、該折曲部の間を通って前記パネル板の上端が下側凹部に挿入されることを特徴とする。
【発明の効果】
【００１０】
本発明によれば、フレームが左右縦框の各上端に形成される嵌合溝に跨って嵌合固定され、このフレーム内に引戸クローザが嵌合固定されるので、引戸クローザが引戸表面に露出することがなく、見栄えが悪くならない。引戸クローザはその少なくとも一部がフレーム底板上方の上側凹部に嵌合された状態で固定されるので、引戸構成に応じてフレームと引戸クローザとを組み合わせた長さを調整することができる。パネル板の上端は底板下方の下側凹部に挿入されるが底板との間に隙間が設けられるので、引戸クローザをフレーム底板にビスで固定したときに、該ビスの下端がパネル板の上端に干渉せずに該隙間内に納められるので、パネル板の変形を防止することができる。
【図面の簡単な説明】
【００１１】
【図１】本発明の一実施形態（実施例１）による引戸の正面図である。
【図２】この引戸に用いられるフレームを示す図であって、（ａ）は正面図、（ｂ）は（ａ）中のＡ矢示断面図、（ｃ）は（ａ）中の点線枠内部分の拡大平面図、（ｄ）は（ａ）中のＢ矢示拡大断面図、（ｅ）は（ａ）中のＣ矢示拡大断面図である。
【図３】この引戸においてフレームと引戸クローザが組み付けられる前の状態を示す引戸上部の正面図である。
【図４】この引戸においてフレームと引戸クローザが組み付けられた状態を示す図であって、（ａ）は引戸上部の正面図（ｂ）は引戸の平面図である。
【図５】図４（ｂ）中のＤ矢示断面図であって、（ａ）はフレームと引戸クローザが組み付けられる前の状態、（ｂ）はフレームのみが組み付けられた状態、（ｃ）はさらに引戸クローザも組み付けられた状態の各断面図である。
【図６】図５（ａ）〜（ｃ）の各状態におけるＥ〜Ｇ矢示断面図（ａ）〜（ｃ）である。
【図７】本発明の他実施形態（実施例２）による引戸においてフレームと引戸クローザが組み付けられた状態を示す図であって、（ａ）は引戸上部の正面図、（ｂ）は引戸の平面図である。
【図８】図７（ｂ）中のＨ矢示断面図であって、（ａ）はフレームと引戸クローザが組み付けられる前の状態、（ｂ）はフレームのみが組み付けられた状態、（ｃ）はさらに引戸クローザも組み付けられた状態の各断面図である。
【図９】図８（ａ）〜（ｃ）の各状態におけるＩ〜Ｋ矢示断面図である。
【発明を実施するための形態】
【００１２】
以下、本発明による引戸について図１〜図６を参照しながら幾つかの実施例を挙げて詳述する。
【実施例１】
【００１３】
まず、図１を参照して、本実施例が適用される引戸の基本構造について説明する。この引戸１０は、左右の縦框１１，１２と、これら縦框１１，１２間に挟まれた状態で固定されるパネル板１３とを有する。この実施例では、縦框１１が戸尻側の縦框であり、縦框１２が戸先側の縦框である。左右の縦框１１，１２は木材や合成樹脂などから形成されるが、その材質は特に限定されない。また、その寸法（長さ、幅、厚さ）も任意であるが、この実施例では縦框１１が縦框１２よりも幅広に形成され、したがってパネル板１３が引戸１０の全幅において中央から戸先側に偏った位置に配置されている。
【００１４】
左右縦框１１，１２の各上端にはフレーム２０を嵌合するための嵌合溝１４，１５が形成される（図３，図４）。戸先側となる縦框１２の上端に形成される嵌合溝１５は縦框１２の全幅に亘って形成され、その内側面および外側面で開口している。戸尻側となる縦框１１の上端に形成される嵌合溝１４は、内側面で開口するが、外側面では開口せずに幅方向途中で終端している。嵌合溝１４，１５の形状は、用いられる引戸クローザ３０の形状や機構によって異なり、図示の形状はその一例である。
【００１５】
左右縦框１１，１２の各内側木口面にはパネル溝１６，１７（図３，図４）が形成され、これらパネル溝１６，１７にパネル板１３の左右端部が嵌合された状態でパネル板１３が設けられ、ダボ結合や接着剤などの固定手段を単独または任意併用して左右縦框１１，１２間に固定される。パネル板１３は、その下端が左右縦框１１，１２の下端と面一となり、その上端がフレーム２０の底板より低い位置となるように組み付けられる。したがって、パネル板１３の高さは縦框１１，１２より低く、厚さは縦框１１，１２より薄く形成されるが、この条件を満たす限りにおいて、その寸法（長さ、幅、厚さ）は任意である。また、パネル板１３は木材、合成樹脂、ガラスなどから形成されるが、その材質は特に限定されない。
【００１６】
フレーム２０について、図２を参照して説明する。フレーム２０は、パネル板１３の幅より大きい長さを有する長尺部材であり、一対の側面板２１ａ，２１ｂの間に底板２２が架設された断面略Ｈ形に形成され、底板２２の上下にそれぞれ凹溝２３，２４が設けられる。側面板２１ａ，２１ｂ間の間隔（内寸）は引戸クローザ３０の幅寸法と略同一またはそれより若干大きく形成される。上側凹部２３には引戸クローザ３０が嵌合され、下側凹部２４にはパネル板１３の上端が嵌合される。側面板２１ａ，２１ｂの下端を内向きに折り曲げてＬ字形折曲部２５，２５を形成し、これら折曲部２５，２５の間からパネル板１３の上端を下側凹部２４に挿入させるようにしても良い（図２（ｄ），（ｅ）参照）。このようにすると、パネル板１３の上端とフレーム底板２２との間の隙間を見えにくくすることができるので、好ましい実施形態である。折曲部２５，２５を形成する場合、それらの先端同士の間隔をパネル板１３の厚さと略同寸法として、パネル板１３を隙間無く嵌合するようにしても良いし、パネル板１３の厚さより大きい間隔を与えてパネル板１３の表面（側面）との間に隙間を設けるようにしても良い。
【００１７】
底板２２の幅方向中央にはフレーム２０の全長に亘って延長するＶ溝２６が形成され、その両端近くにフレーム固定用ビス孔２７（２７ａ，２７ｂ）が形成されると共に、任意間隔で複数の引戸クローザ固定用ビス孔２８が形成される。この実施形態では、戸先側のフレーム固定用ビス孔２７ｂに近い位置から順次に４つの引戸クローザ固定用にビス孔２８ａ〜２８ｄが形成されており、フレーム２０の長さやパネル板１３の位置などに応じて選択可能である。フレーム２０は、左右縦框１１，１２の上端に形成された嵌合溝１４，１５に跨って収容された状態で、且つ、フレーム２０の長さ範囲にパネル板１３の全幅が収まる位置で、フレーム固定用ビス孔２７ａ，２７ｂに通したビス２９ａ，２９ｂで固定される（図５（ｂ）参照）。このとき、パネル板１３の上端はフレーム２０の下側凹部２４内に挿入され、且つ、底板２２には達しない位置とされる。なお、フレーム固定用ビス孔２７ａ，２７ｂはビス２９ａ，２９ｂの頭部が収まるように皿形に加工されることが好ましく、このようにすると、ビス頭部上面とフレーム底面とが面一となり、フレーム２０に引戸クローザ３０を嵌合させたときに引戸クローザ３０とフレーム底板２２との間に隙間が生じないので、引戸クローザ３０を安定した状態で固定することが可能となる。
【００１８】
引戸クローザ３０は、引戸１０を手動で閉じたときの引戸走行速度を閉じ際で遅くさせ、跳ね返りによる隙間を生じさせないようにして完全に閉じた状態を作るための装置として公知である。より具体的には、開口上枠下面の戸先側に突起部材が固定されており、引戸１０を閉じると該突起部材が引戸クローザ３０の減速機構を作動させて引戸１０の走行を減速させる。図示の実施形態では、長手方向断面Ｌ字形状の長尺部材として形成された引戸クローザ３０が用いられている。引戸クローザ３０は一般に合成樹脂および金属部品から形成されるが、特に材質は限定されない。
【００１９】
引戸クローザ３０は、前述したように固定されたフレーム２０に少なくともその一部が収容された状態で固定される。引戸クローザ３０の固定について詳しく説明すると、その後端側（戸尻側）の固定用凹溝３１においてビス３２でフレーム２０に固定されると共に、戸先側縦框１２の上端近くの木口から上端膨出部１８に対してビス３３で固定され、このように２箇所で固定されることにより引戸クローザ３０を確実に固定することができる。前述したようにフレーム２０には複数の引戸クローザ固定用ネジ孔２８ａ〜２８ｄが形成されているので、引戸クローザ３０の長さに応じていずれか一の引戸クローザ固定用ビス孔にビス３２を螺着させて引戸クローザ３０をフレーム２０に固定することができる。図示実施形態では最も戸尻側に位置する引戸クローザ固定用ビス孔２８ｄにビス３２を螺着させている。
【００２０】
次に、左右縦框１１，１２の上端にフレーム２０および引戸クローザ３０を組み付ける手順について、図５および図６を参照して説明する。図５（ａ）および図６（ａ）は左右縦框１１，１２の間にパネル板１３を挟んで固定した状態を示す。この状態ではフレーム２０および引戸クローザ３０はいずれも組み付けられていないので、左右縦框１１，１２の上端に形成した嵌合溝１４，１５がパネル板１３上部の空間１９を介して整列し、フレーム２０を嵌合可能な空間を形成している。パネル板１３の上端は該空間１９内に突出している（図６（ａ）右図参照）
【００２１】
この状態から、嵌合溝１４，１５にフレーム２０を嵌合し、長さ方向両端近くのフレーム固定用ビス孔２７ａ，２７ｂにそれぞれビス２９ａ，２９ｂを通して左右縦框１１，１２の上端にねじ込んで固定する（図５（ｂ），図６（ｂ））。ビス２９ａ，２９ｂとしては、フレーム２０の底板２２から下端（折曲部２５）までの長さ（言い換えれば下側凹部２４の溝深さ）より長いものが用いられる（図６（ｂ）中央図参照）。フレーム２０は、その長さ範囲内にパネル板１３の全幅が完全に収まるような位置で固定される。このとき、パネル板１３の上端はフレーム２０の下側凹部２４内に挿入され、且つ、底板２２には達しない位置にある（図６（ｂ）右図参照）。
【００２２】
このようにして固定されたフレーム２０に引戸クローザ３０を嵌合し、固定用凹溝３１からビス３２を適合する引戸クローザ固定用ビス孔（図示実施形態では引戸クローザ固定用ビス孔２８ｄ）に螺着させると共に、戸先側縦框１２の上端近くの木口から上端膨出部１８に対してビス３３をねじ込むことによって、引戸クローザ３０を固定する。引戸クローザ固定用ビス孔２８ｄに螺着させたビス３２の先端はフレーム底板２２を突き抜けて下側凹部２４内に突出するが、前述したようにパネル板１３の上端はフレーム底板２２には達しない位置に止まっていてそれらの間には隙間３４が形成されているので、ビス３２の先端をこの隙間３４内に収め、パネル板１３との干渉を防止することができ、パネル板１３の変形を防止する。隙間３４は、パネル板１３の温度変化による膨張によってもビス３２の先端に当たらないような適宜の高さ寸法を有することが好ましく、これを考慮してフレーム２０の形状（特に下側凹部２４の溝深さ）を設計する。
【実施例２】
【００２３】
まず、図７を参照して、本実施例が適用される引戸の基本構造について説明する。この引戸１０は、実施例１の引戸１０と同様に、左右の縦框１１，１２と、これら縦框１１，１２間に挟まれた状態で固定されるパネル板１３とを有する。そして、この実施例では、縦框１１と縦框１２が略同一の幅寸法を有し、したがってパネル板１３が引戸１０の幅方向中央に配置されている点で、実施例１の引戸１０と異なっており、このような構成の引戸１０において実施例１で用いたと同じフレーム２０および引戸クローザ３０を組み付けたものである。引戸１０、フレーム２０および引戸クローザ３０において実施例１と同一または対応する部材・部分には同一の符号を付して、それらの説明を割愛する。
【００２４】
この実施例においても、実施例１と同様に、フレーム２０は、嵌合溝１４，１５に嵌合された状態で、長さ方向両端近くのフレーム固定用ビス孔２７ａ，２７ｂにそれぞれビス２９ａ，２９ｂを通して左右縦框１１，１２の上端にねじ込んで固定される（図８（ｂ））が、パネル板１３が引戸１０の幅方向中央に配置されているため、フレーム２０の戸先側の端部が戸先側縦框１２の木口から離れて位置している。したがって、この実施例では、固定されたフレーム２０に対して引戸クローザ３０を固定するに際して、固定用凹溝３１からビス３２を最も戸先側に位置する引戸クローザ固定用ビス孔２８ａに螺着させる（図８（ｃ））。
【００２５】
上記以外の構成や作用などについては実施例１と同様であるので、説明を割愛する。
【実施例３】
【００２６】
フレーム２０には４つの引戸クローザ固定用ビス孔２８ａ〜２８ｄが形成されているので、最も戸先側に位置する引戸クローザ固定用ビス孔２８ａを用いて引戸クローザ３０を固定した実施例、および、最も戸尻側に位置する引戸クローザ固定用ビス孔２８ｄを用いて引戸クローザ３０を固定した実施例のほか、これらの中間に位置する引戸クローザ固定用ビス孔２８ｂ，２８ｃを用いて引戸クローザ３０を固定することができ、計４通りの引戸構成（特に引戸１０の全体幅、パネル板１３の幅方向位置など）に対応可能である（図示省略）。
【００２７】
本発明について実施例を挙げて詳細に説明したが、本発明はこれら実施例に限定されるものではなく、特許請求の範囲の記載の範囲内において多様な実施形態を取り得る。
【００２８】
たとえば、上記実施例においてはフレーム２０の底板２２の表面幅方向中央にＶ溝２６を形成し、このＶ溝２６の所定箇所にフレーム固定用ビス孔２７ａ，２７ｂと共に引戸クローザ固定用ビス孔２８ａ〜２８ｄを設けているが、フレーム固定用ビス孔および引戸クローザ固定用ビス孔は必ずしも必須ではない。フレーム固定用ビス孔２７ａ，２７ｂを形成しなくても、Ｖ溝に沿った任意位置に下穴を開け、この下穴にフレーム固定用のビス２９ａ，２９ｂを打ち込んでフレーム２０を縦框１１，１２に固定することができる。引戸クローザ固定用ビス孔２８ａ〜２８ｄを形成する場合は、ビス３２の打ち込み位置の位置出しが不要となり、また下穴を形成することも不要なので、ビス３２の打ち込みが容易となる利点があるが、反面、あらかじめ形成された引戸クローザ固定用ビス孔２８ａ〜２８ｄの位置によってフレーム２０と引戸クローザ３０との相対的位置関係が特定され、該ビス孔の数と同数の引戸構成にしか対応できない不利がある。引戸クローザ固定用ビス孔を形成しない場合は、ビス３２の打ち込み位置が特定されず施工がやや困難になるが、反面、Ｖ溝２６に沿った任意の位置に下穴を開けてビス３２を打ち込むことができるので、フレーム２０と引戸クローザ３０とが少なくとも一部重なり合う限りにおいて任意の長さに組み合わせることができ、より多様な引戸構成に対応できる利点がある。
【００２９】
また、フレーム底板２２の表面幅方向中央にＶ溝２６を形成することは本発明において必ずしも必須ではなく、Ｖ溝２６を形成せずに、あらかじめ所定箇所にフレーム固定用ビス孔および／または引戸クローザ固定用ビス孔を形成してフレーム２０および／または引戸クローザ３０の固定に用いても良いし、あるいは、これらビス孔を形成せずに任意位置に下穴を開けてフレーム２０および／または引戸クローザ３９を固定するようにしても良い。
【符号の説明】
【００３０】
１０  引戸
１１  戸尻側の縦框
１２  戸先側の縦框
１３  パネル板
１４，１５  嵌合溝
１６，１７  パネル溝
１８  戸先側縦框の上端膨出部
１９  パネル板上方の空間
２０  フレーム
２１ａ，２１ｂ  側面板
２２  底板
２３  上側凹部
２４  下側凹部
２５  折曲部
２６  Ｖ溝
２７（２７ａ，２７ｂ）  フレーム固定用ビス孔
２８（２８ａ〜２８ｄ）  引戸クローザ固定用ビス孔
２９ａ，２９ｂ  フレーム固定用のビス
３０  引戸クローザ
３１  固定用凹溝
３２  引戸クローザをフレームに固定するビス
３３  引戸クローザを戸先側縦框の上部膨出部に固定するビス
３４  隙間
【図１】
2014009524.tif 000003
【図２】
2014009524.tif 000004
【図３】
2014009524.tif 000005
【図４】
2014009524.tif 000006
【図５】
2014009524.tif 000007
【図６】
2014009524.tif 000008
【図７】
2014009524.tif 000009
【図８】
2014009524.tif 000010
【図９】
2014009524.tif 000011
【手続補正書】
【提出日】平成24年7月17日(2012.7.17)
【手続補正１】
【補正対象書類名】図面
【補正対象項目名】図２
【補正方法】変更
【補正の内容】
【図２】
2014009524.tif 000012
【手続補正２】
【補正対象書類名】図面
【補正対象項目名】図５
【補正方法】変更
【補正の内容】
【図５】
2014009524.tif 000013
【手続補正３】
【補正対象書類名】図面
【補正対象項目名】図６
【補正方法】変更
【補正の内容】
【図６】
2014009524.tif 000014
【手続補正４】
【補正対象書類名】図面
【補正対象項目名】図８
【補正方法】変更
【補正の内容】
【図８】
2014009524.tif 000015
【手続補正５】
【補正対象書類名】図面
【補正対象項目名】図９
【補正方法】変更
【補正の内容】
【図９】
2014009524.tif 000016